【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
インダクタンス生成回路と、周波数判定回路と、一のアンテナと、を有し、
前記インダクタンス生成回路の入力部は第１及び第２のスイッチに電気的に接続され、
前記第１のスイッチは前記インダクタンス生成回路の出力部に電気的に接続され、
前記第２のスイッチは前記インダクタンス生成回路が有するコイルを介して前記出力部に電気的に接続され、
前記周波数判定回路の入力部は前記アンテナに電気的に接続され、
前記周波数判定回路は前記アンテナが受信した電波の周波数に応じて前記第１のスイッ
チ及び前記第２のスイッチを制御することを特徴とする無線通信可能な半導体装置。
【請求項２】
第１及び第２の容量素子を有する復調回路と、周波数判定回路と、一のアンテナと、を有し、
前記復調回路の入力部は第１及び第２のスイッチに電気的に接続され、
前記第１のスイッチは前記第１の容量素子に電気的に接続され、
前記第２のスイッチは前記第２の容量素子に電気的に接続され、
前記周波数判定回路の入力部は前記アンテナに電気的に接続され、
前記周波数判定回路は前記アンテナが受信した電波の周波数に応じて前記第１のスイッ
チ及び前記第２のスイッチを制御し、
前記第１の容量素子と前記第２の容量素子の静電容量は異なる大きさを有することを特
徴とする無線通信可能な半導体装置。
【請求項３】
第１及び第２の容量素子を有する整流回路と、周波数判定回路と、一のアンテナと、を有し、
前記整流回路の入力部は第１及び第２のスイッチに電気的に接続され、
前記第１のスイッチは前記第１の容量素子に電気的に接続され、
前記第２のスイッチは前記第２の容量素子に電気的に接続され、
前記周波数判定回路の入力部は前記アンテナに電気的に接続され、
前記周波数判定回路は前記アンテナが受信した電波の周波数に応じて前記第１のスイッ
チ及び前記第２のスイッチを制御し、
前記第１の容量素子と前記第２の容量素子の静電容量は異なる大きさを有することを特
徴とする無線通信可能な半導体装置。
【請求項４】
第１及び第２の容量素子を有する整流回路と、第３及び第４の容量素子を有する復調回
路と、周波数判定回路と、一のアンテナと、を有し、
前記整流回路の入力部は第１及び第２のスイッチに電気的に接続され、
前記第１のスイッチは前記第１の容量素子に電気的に接続され、
前記第２のスイッチは前記第２の容量素子に電気的に接続され、
前記復調回路の入力部は第３及び第４のスイッチに電気的に接続され、
前記第３のスイッチは前記第３の容量素子に電気的に接続され、
前記第４のスイッチは前記第４の容量素子に電気的に接続され、
前記周波数判定回路の入力部は前記アンテナに電気的に接続され、
前記周波数判定回路は前記アンテナが受信した電波の周波数に応じて前記第１乃至第４
のスイッチを制御し、
前記第１の容量素子と前記第２の容量素子の静電容量は異なる大きさを有し、
前記第３の容量素子と前記第４の容量素子の静電容量は異なる大きさを有することを特
徴とする無線通信可能な半導体装置。
【請求項５】
第１及び第２の容量素子を有する整流回路と、インダクタンス生成回路と、周波数判定
回路と、一のアンテナと、を有し、
前記インダクタンス生成回路の入力部は第１及び第２のスイッチに電気的に接続され、
前記整流回路の入力部は第３及び第４のスイッチに電気的に接続され、
前記第１のスイッチは前記インダクタンス生成回路の出力部に電気的に接続され、
前記第２のスイッチは前記インダクタンス生成回路が有するコイルを介して前記出力部に電気的に接続され、
前記第３のスイッチは前記第１の容量素子に電気的に接続され、
前記第４のスイッチは前記第２の容量素子に電気的に接続され、
前記周波数判定回路の入力部は前記アンテナに電気的に接続され、
前記周波数判定回路は前記アンテナが受信した電波の周波数に応じて前記第１乃至第４
のスイッチを制御し、
前記第１の容量素子と前記第２の容量素子の静電容量は異なる大きさを有し、
前記第３の容量素子と前記第４の容量素子の静電容量は異なる大きさを有することを特徴とする無線通信可能な半導体装置。
【請求項６】
第１及び第２の容量を有する復調回路と、インダクタンス生成回路と、周波数判定回路
と、一のアンテナと、を有し、
前記インダクタンス生成回路の入力部は第１及び第２のスイッチに電気的に接続され、
前記復調回路の入力部は第３及び第４のスイッチに電気的に接続され、
前記第１のスイッチは前記インダクタンス生成回路の出力部に電気的に接続され、
前記第２のスイッチは前記インダクタンス生成回路が有するコイルを介して前記出力部に電気的に接続され、
前記第３のスイッチは前記第１の容量素子に電気的に接続され、
前記第４のスイッチは前記第２の容量素子に電気的に接続され、
前記周波数判定回路の入力部は前記アンテナに電気的に接続され、
前記周波数判定回路は前記アンテナが受信した電波の周波数に応じて前記第１乃至第４
のスイッチを制御し、
前記第１の容量素子と前記第２の容量素子の静電容量は異なる大きさを有し、
前記第３の容量素子と前記第４の容量素子の静電容量は異なる大きさを有することを特徴とする無線通信可能な半導体装置。
【請求項７】
第１及び第２の容量素子を有する整流回路と、第３及び第４の容量素子を有する復調回
路と、インダクタンス生成回路と、周波数判定回路と、一のアンテナと、を有し、
前記整流回路の入力部は第１及び第２のスイッチに電気的に接続され、
前記第１のスイッチは前記第１の容量素子に電気的に接続され、
前記第２のスイッチは前記第２の容量素子に電気的に接続され、
前記復調回路の入力部は第３及び第４のスイッチに電気的に接続され、
前記第３のスイッチは前記第３の容量素子に電気的に接続され、
前記第４のスイッチは前記第４の容量素子に電気的に接続され、
前記インダクタンス生成回路の入力部は第５及び第６のスイッチに電気的に接続され、
前記第５のスイッチは前記インダクタンス生成回路の出力部に電気的に接続され、
前記第６のスイッチは前記インダクタンス生成回路が有するコイルを介して前記出力部に電気的に接続され、
前記周波数判定回路の入力部は前記アンテナに電気的に接続され、
前記周波数判定回路は前記アンテナが受信した電波の周波数に応じて前記第１乃至第６
のスイッチを制御し、
前記第１の容量素子と前記第２の容量素子の静電容量は異なる大きさを有し、
前記第３の容量素子と前記第４の容量素子の静電容量は異なる大きさを有することを特
徴とする無線通信可能な半導体装置。
【請求項８】
請求項７において、
前記第５のスイッチはｐチャネル型トランジスタであり、
前記第６のスイッチはｎチャネル型トランジスタであることを特徴とする無線通信可能な半導体装置。
【請求項９】
請求項４乃至請求項８のいずれか一において、
前記第３のスイッチはｐチャネル型トランジスタであり、
前記第４のスイッチはｎチャネル型トランジスタであることを特徴とする無線通信可能な半導体装置。
【請求項１０】
請求項１乃至請求項９のいずれか一において、
前記第１のスイッチはｐチャネル型トランジスタであり、
前記第２のスイッチはｎチャネル型トランジスタであることを特徴とする無線通信可能な半導体装置。
【請求項１１】
一のアンテナと、周波数判定回路と、を有する無線通信可能な半導体装置であって、
前記アンテナは主要部及び端部を有し、
前記主要部と前記端部はスイッチを介して電気的に接続され、
前記周波数判定回路の入力部は前記アンテナに電気的に接続され、
前記周波数判定回路は前記アンテナが受信した電波の周波数に応じて前記スイッチを制
御することを特徴とする無線通信可能な半導体装置。
【請求項１２】
請求項１乃至請求項１１のいずれか一において、
前記半導体装置は無線により充電可能なバッテリーを有することを特徴とする無線通信
可能な半導体装置。